(57)【特許請求の範囲】
【請求項１】
採取された検体を収納するとともに、前記採取された検体に含まれる細胞が観察可能である観察領域を有する検体容器部材と、
前記観察領域に対応可能な位置に配置された対物レンズと、
撮像機能を有する携帯デバイスが載置可能である携帯デバイス載置部と、
前記検体容器部材が倒立させられて載置される検体容器部材載置部と、
を備え、
前記対物レンズを介する前記細胞の観察は、前記携帯デバイス載置部へ前記載置された携帯デバイスを利用して行われ、
前記検体容器部材は、前記採取された検体を収納する検体容器本体と、前記観察領域が設けられている、前記検体容器本体に対して脱着可能な検体容器蓋と、を有し、
前記検体容器部材は、前記検体容器部材載置部に対して脱着可能であり、
前記検体容器部材が倒立させられて前記検体容器部材載置部へ載置されることにより、前記検体容器本体に前記収納された検体に含まれる前記細胞が前記観察領域へ案内されることを特徴とする顕微鏡装置。
【請求項２】
前記採取された検体に含まれる組織を前記細胞から分別するための識別エリアを有する漏斗を備え、
前記組織が前記識別エリアを利用して分別された後、前記検体の残渣は前記検体容器本体へ落下可能であることを特徴とする請求項１に記載の顕微鏡装置。
【請求項３】
採取された検体を収納するとともに、前記採取された検体に含まれる細胞が観察可能である観察領域を有する検体容器部材と、
前記観察領域に対応可能な位置に配置された対物レンズと、
撮像機能を有する携帯デバイスが載置可能である携帯デバイス載置部と、
前記採取された検体に含まれる組織を前記細胞から分別するための識別エリアを有する漏斗と、
を備え、
前記対物レンズを介する前記細胞の観察は、前記携帯デバイス載置部へ前記載置された携帯デバイスを利用して行われ、
前記検体容器部材は、前記採取された検体を収納する検体容器本体と、前記観察領域が設けられている、前記検体容器本体に対して脱着可能な検体容器蓋と、を有し、
前記組織が前記識別エリアを利用して分別された後、前記検体の残渣は前記検体容器本体へ落下可能であることを特徴とする顕微鏡装置。
【請求項４】
前記漏斗は、前記残渣を前記検体容器本体へ洗い流すための液体を貯留するプールを有することを特徴とする請求項２または３に記載の顕微鏡装置。
【発明の詳細な説明】
【技術分野】
【０００１】
本発明は、たとえば、検体の適正評価を行うための顕微鏡装置に関する。
【背景技術】
【０００２】
人体より細胞を採取することは、臨床診療の中で、細胞診検査などを目的として、日常的に行われている（たとえば、特許文献１および２参照）。細胞採取は通常注射器などを用いて行う針穿刺吸引または組織切除などにより行われ、検体は、直接スライドガラス上に塗抹固定されるか、あるいは容器内の固定液中に採取された後、スライドガラス上に塗抹固定され、スライド標本が作製される。【０００３】
検体は、プラスチック試験管もしくは容器、または細胞が塗抹されたスライドガラスの状態で、細胞診検査などを目的として、医療施設内の検査室または臨床検査を受託する衛生検査所などに搬送される。【０００４】
採取を担当した医師は、検体に目的とする細胞が採取されているかどうかの適正評価を細胞診検査の結果により後日知らされることになり、不適正検体の場合には、再採取を余儀なくされる。したがって、被検者への負担および時間的ロスにより、治療開始が遅れることがある。【０００５】
これらのサンプリングエラーを解決するために、検体採取時の適正評価を行うＲＯＳＥ（Ｒａｐｉｄ  ｏｎ−ｓｉｔｅ  ｅｖａｌｕａｔｉｏｎ）の必要性と取り組みが、様々な医療施設により報告されている。そのような医療施設のほとんどにおいては、細胞検査士または臨床検査技師が検体採取現場に生物顕微鏡を持ち込み細胞が適切に採取されているかを評価する方法が採用されている。
【先行技術文献】
【特許文献】
【０００６】
【特許文献１】特開２０１３−１５８３３５号公報
【特許文献２】特開２０１６−６７３２２号公報
【発明の概要】
【発明が解決しようとする課題】
【０００７】
しかしながら、いずれの施設も技師を検体採取現場に向かわせなければならないという問題をしばしばクリアしておらず、ＲＯＳＥが行われているのは比較的に限られた施設である。ほとんどの場合には、技師が不在な小規模の医療施設、またはＲＯＳＥに理解のない施設の医師は、細胞が適正に採取されているか明らかでない状態で、細胞診検査を依頼している。そのような問題は長く課題として提起されてきたが、根本的な解決には未だ至っていない。【０００８】
このように、採取された検体を検体採取現場で観察することは、必ずしも容易ではなかった。【０００９】
本発明は、上述された従来の課題を考慮し、採取された検体を簡便に観察することができる顕微鏡装置を提供することを目的とする。
【課題を解決するための手段】
【００１０】
第１の本発明は、採取された検体を収納するとともに、前記採取された検体に含まれる細胞が観察可能である観察領域を有する検体容器部材と、
前記観察領域に対応可能な位置に配置された対物レンズと、
撮像機能を有する携帯デバイスが載置可能である携帯デバイス載置部と、
前記検体容器部材が倒立させられて載置される検体容器部材載置部と、
を備え、
前記対物レンズを介する前記細胞の観察は、前記携帯デバイス載置部へ前記載置された携帯デバイスを利用して行われ、
前記検体容器部材は、前記採取された検体を収納する検体容器本体と、前記観察領域が設けられている、前記検体容器本体に対して脱着可能な検体容器蓋と、を有し、
前記検体容器部材は、前記検体容器部材載置部に対して脱着可能であり、
前記検体容器部材が倒立させられて前記検体容器部材載置部へ載置されることにより、前記検体容器本体に前記収納された検体に含まれる前記細胞が前記観察領域へ案内されることを特徴とする顕微鏡装置である。
第２の本発明は、前記採取された検体に含まれる組織を前記細胞から分別するための識別エリアを有する漏斗を備え、
前記組織が前記識別エリアを利用して分別された後、前記検体の残渣は前記検体容器本体へ落下可能であることを特徴とする第１の本発明の顕微鏡装置である。
第３の本発明は、採取された検体を収納するとともに、前記採取された検体に含まれる細胞が観察可能である観察領域を有する検体容器部材と、
前記観察領域に対応可能な位置に配置された対物レンズと、
撮像機能を有する携帯デバイスが載置可能である携帯デバイス載置部と、
前記採取された検体に含まれる組織を前記細胞から分別するための識別エリアを有する漏斗と、
を備え、
前記対物レンズを介する前記細胞の観察は、前記携帯デバイス載置部へ前記載置された携帯デバイスを利用して行われ、
前記検体容器部材は、前記採取された検体を収納する検体容器本体と、前記観察領域が設けられている、前記検体容器本体に対して脱着可能な検体容器蓋と、を有し、
前記組織が前記識別エリアを利用して分別された後、前記検体の残渣は前記検体容器本体へ落下可能であることを特徴とする顕微鏡装置である。
第４の本発明は、前記漏斗は、前記残渣を前記検体容器本体へ洗い流すための液体を貯留するプールを有することを特徴とする第２または第３の本発明の顕微鏡装置である。
本発明に関連する第１の発明は、採取された検体を収納するとともに、前記採取された検体に含まれる細胞が観察可能である観察領域を有する検体容器部材と、
前記観察領域に対応可能な位置に配置された対物レンズと、
撮像機能を有する携帯デバイスが載置可能である携帯デバイス載置部と、
を備え、
前記対物レンズを介する前記細胞の観察は、前記携帯デバイス載置部へ前記載置された携帯デバイスを利用して行われることを特徴とする顕微鏡装置である。
【００１１】
本発明に関連する第２の発明は、前記検体容器部材は、前記採取された検体を収納する検体容器本体と、前記観察領域が設けられている、前記検体容器本体に対して脱着可能な検体容器蓋と、を有することを特徴とする本発明に関連する第１の発明の顕微鏡装置である。
【００１２】
本発明に関連する第３の発明は、前記検体容器部材が倒立させられて載置される検体容器部材載置部を備え、
前記検体容器部材は、前記検体容器部材載置部に対して脱着可能であり、
前記検体容器部材が倒立させられて前記検体容器部材載置部へ載置されることにより、前記検体容器本体に前記収納された検体に含まれる前記細胞が前記観察領域へ案内されることを特徴とする本発明に関連する第２の発明の顕微鏡装置である。
【００１３】
本発明に関連する第４の発明は、前記採取された検体に含まれる組織を前記細胞から分別するための識別エリアを有する漏斗を備え、
前記組織が前記識別エリアを利用して分別された後、前記検体の残渣は前記検体容器本体へ落下可能であることを特徴とする本発明に関連する第２または第３の発明の顕微鏡装置である。
【００１４】
本発明に関連する第５の発明は、前記漏斗は、前記残渣を前記検体容器本体へ洗い流すための液体を貯留するプールを有することを特徴とする本発明に関連する第４の発明の顕微鏡装置である。
【００１５】
本発明に関連する第６の発明は、採取された検体に含まれる細胞が観察可能である観察領域が設けられている、前記採取された検体を収納する検体容器本体に対して脱着可能であることを特徴とする検体容器蓋である。
【００１６】
本発明に関連する第７の発明は、前記検体容器本体を備えた検体容器部材が倒立させられることにより、前記検体容器本体に前記収納された検体に含まれる前記細胞が前記観察領域へ案内されることを特徴とする本発明に関連する第６の発明の検体容器蓋である。
【００１７】
本発明に関連する第８の発明は、採取された検体に含まれる組織を前記採取された検体に含まれる細胞から分別するための識別エリアを備え、
前記組織が前記識別エリアを利用して分別された後、前記検体の残渣は前記採取された検体を収納する検体容器本体へ落下可能であることを特徴とする漏斗である。
【００１８】
本発明に関連する第９の発明は、前記残渣を前記検体容器本体へ洗い流すための液体を貯留するプールを備えることを特徴とする本発明に関連する第８の発明の漏斗である。
【発明の効果】
【００１９】
本発明により、採取された検体を簡便に観察することが可能な顕微鏡装置を提供することができる。
【図面の簡単な説明】
【００２０】
【図１】本発明における実施の形態の多機能型位相差顕微鏡装置の模式的な斜視図
【図２】（ａ）本発明における実施の形態の多機能型位相差顕微鏡装置の模式的な平面図、（ｂ）本発明における実施の形態の多機能型位相差顕微鏡装置の模式的な正面図、（ｃ）本発明における実施の形態の多機能型位相差顕微鏡装置の模式的な背面図、（ｄ）本発明における実施の形態の多機能型位相差顕微鏡装置の模式的な右側面図
【図３】（ａ）本発明における実施の形態の多機能型位相差顕微鏡装置のホルダー近傍の模式的な部分斜視図（その一）、（ｂ）本発明における実施の形態の多機能型位相差顕微鏡装置のホルダー近傍の模式的な部分斜視図（その二）、（ｃ）本発明における実施の形態の多機能型位相差顕微鏡装置のホルダー近傍の模式的な部分斜視図（その三）、（ｄ）本発明における実施の形態の多機能型位相差顕微鏡装置のホルダー近傍の模式的な部分右側面図（その一）、（ｅ）本発明における実施の形態の多機能型位相差顕微鏡装置のホルダー近傍の模式的な部分右側面図（その二）
【図４】（ａ）本発明における実施の形態の多機能型位相差顕微鏡装置の検体容器蓋の模式的な正面図、（ｂ）本発明における実施の形態の多機能型位相差顕微鏡装置の検体容器蓋の模式的な斜視図（その一）、（ｃ）本発明における実施の形態の多機能型位相差顕微鏡装置の検体容器蓋の模式的な斜視図（その二）、（ｄ）本発明における実施の形態の多機能型位相差顕微鏡装置の検体容器蓋の模式的な平面図、（ｅ）本発明における実施の形態の多機能型位相差顕微鏡装置の検体容器蓋の模式的な底面図、（ｆ）本発明における実施の形態の多機能型位相差顕微鏡装置の検体容器部材の模式的な斜視図（その一）、（ｇ）本発明における実施の形態の多機能型位相差顕微鏡装置の検体容器部材の模式的な斜視図（その二）
【図５】（ａ）本発明における実施の形態の多機能型位相差顕微鏡装置の漏斗の模式的な背面図、（ｂ）本発明における実施の形態の多機能型位相差顕微鏡装置の漏斗の模式的な正面図、（ｃ）本発明における実施の形態の多機能型位相差顕微鏡装置の漏斗の模式的な平面図、（ｄ）本発明における実施の形態の多機能型位相差顕微鏡装置の漏斗の模式的な右側面図、（ｅ）本発明における実施の形態の多機能型位相差顕微鏡装置の漏斗の模式的な左側面図
【図６】本発明における実施の形態の多機能型位相差顕微鏡装置の検体容器蓋近傍の模式的な拡大部分矢視断面図
【発明を実施するための形態】
【００２１】
以下、図１から５を参照しながら、本発明における実施の形態について詳細に説明する。
【００２２】
図１は、本発明における実施の形態の多機能型位相差顕微鏡装置ＭＲの模式的な斜視図である。
【００２３】
図２（ａ）は本発明における実施の形態の多機能型位相差顕微鏡装置ＭＲの模式的な平面図であり、図２（ｂ）は本発明における実施の形態の多機能型位相差顕微鏡装置ＭＲの模式的な正面図であり、図２（ｃ）は本発明における実施の形態の多機能型位相差顕微鏡装置ＭＲの模式的な背面図であり、図２（ｄ）は本発明における実施の形態の多機能型位相差顕微鏡装置ＭＲの模式的な右側面図である。
【００２４】
図２（ｃ）においては、検体容器蓋１が取り付けられていない検体容器本体３がスタンド１２へ載置されている。図２（ｄ）においては、検体容器蓋１が取り付けられている検体容器本体３が倒立させられてホルダー４へ載置されている。
【００２５】
図３（ａ）から３（ｃ）は本発明における実施の形態の多機能型位相差顕微鏡装置ＭＲのホルダー４近傍の模式的な部分斜視図（その一から三）であり、図３（ｄ）および３（ｅ）は本発明における実施の形態の多機能型位相差顕微鏡装置ＭＲのホルダー４近傍の模式的な部分右側面図（その一および二）である。
【００２６】
図３（ｅ）においては、検体容器本体３がホルダー４へ載置されており、湾曲形状ではなく、平坦形状の観察セル２が示されている。ホルダー４は、図３（ａ）においては多機能型位相差顕微鏡装置ＭＲの前側から矢印Ａｅ（図３（ｅ）参照）の向きで斜めに見下ろされており、図３（ｂ）においては多機能型位相差顕微鏡装置ＭＲの後側から矢印Ａｕ（図３（ｅ）参照）の向きで斜めに見上げられており、図３（ｃ）においては多機能型位相差顕微鏡装置ＭＲの前側から矢印Ａｄ（図３（ｅ）参照）の向きで斜めに見下ろされている。図３（ａ）、３（ｄ）および３（ｅ）においては、ホルダー４の内部構成が透視的に示されている。
【００２７】
図４（ａ）は本発明における実施の形態の多機能型位相差顕微鏡装置ＭＲの検体容器蓋１の模式的な正面図であり、図４（ｂ）および４（ｃ）は本発明における実施の形態の多機能型位相差顕微鏡装置ＭＲの検体容器蓋１の模式的な斜視図（その一および二）であり、図４（ｄ）は本発明における実施の形態の多機能型位相差顕微鏡装置ＭＲの検体容器蓋１の模式的な平面図であり、図４（ｅ）は本発明における実施の形態の多機能型位相差顕微鏡装置ＭＲの検体容器蓋１の模式的な底面図であり、図４（ｆ）および４（ｇ）は本発明における実施の形態の多機能型位相差顕微鏡装置ＭＲの検体容器部材１ａの模式的な斜視図（その一および二）である。
【００２８】
図４（ａ）から４（ｇ）においては、平坦形状ではなく、湾曲形状の観察セル２が示されている。検体容器蓋１は、図４（ｄ）においては矢印Ｂｄ（図４（ａ）参照）の向きで見下ろされており、図４（ｅ）においては矢印Ｂｕ（図４（ａ）参照）の向きで見上げられている。
【００２９】
図５（ａ）は本発明における実施の形態の多機能型位相差顕微鏡装置ＭＲの漏斗９の模式的な背面図であり、図５（ｂ）は本発明における実施の形態の多機能型位相差顕微鏡装置ＭＲの漏斗９の模式的な正面図であり、図５（ｃ）は本発明における実施の形態の多機能型位相差顕微鏡装置ＭＲの漏斗９の模式的な平面図であり、図５（ｄ）は本発明における実施の形態の多機能型位相差顕微鏡装置ＭＲの漏斗９の模式的な右側面図であり、図５（ｅ）は本発明における実施の形態の多機能型位相差顕微鏡装置ＭＲの漏斗９の模式的な左側面図である。
【００３０】
図６は、本発明における実施の形態の多機能型位相差顕微鏡装置ＭＲの検体容器蓋１近傍の模式的なＸ−Ｘ線（図４（ａ）参照）拡大部分矢視断面図である。
【００３１】
中空部２ａは、図６においては誇張されているが、０．７から１．５ミリメートルの厚さτの薄い中空部である。
【００３２】
以下同様であるが、図面における構成要素は実施の形態の多様性なども考慮して示されている。たとえば、本質的な構成がより理解しやすくなるように、いくつかの構成要素は図面において示されていないこともあるし透視的にまたは省略的に示されていることもある。
【００３３】
本実施の形態は、検体容器部材１ａ内の保存液の細胞などが観察セル２からの取り出しなく観察可能な多機能型位相差顕微鏡装置ＭＲと、多機能型位相差顕微鏡装置ＭＲに付随する組織分別のための漏斗９に関する。
【００３４】
採取された検体の固形組織は微細な細胞から識別され、試験管型の搬送バイアルとしても利用可能である検体容器部材１ａの状態での細胞の位相差顕微鏡観察が実現されるので、サンプリングエラーが発生しにくい。
【００３５】
組織が漏斗９の識別エリア１０で細胞から分別された後、液状検体の位相差顕微鏡観察が検体容器部材１ａの状態で行われる。スマートフォン１５のオートフォーカス機能付き撮像カメラと、位相差対物レンズ６と、ＬＥＤ光源１３と、検体容器部材１ａのためのホルダー４を有する多機能型位相差顕微鏡装置ＭＲが提供されるので、サンプリングの直後に検体適正を簡便に確認することができる。
【００３６】
多機能型位相差顕微鏡装置ＭＲについてより具体的に説明すると、つぎの通りである。
【００３７】
検体容器部材１ａは、採取された検体を収納するとともに、採取された検体に含まれる細胞が観察可能である観察セル２を有する部材である。
【００３８】
位相差対物レンズ６は、観察セル２に対応可能な位置に配置されたレンズである。
【００３９】
スマートフォン取り付け具１４は、撮像機能を有するスマートフォン１５が載置可能である載置部である。
【００４０】
なお、スマートフォン１５のカメラレンズの位置が位相差対物レンズ６に対応する多機能型位相差顕微鏡装置ＭＲの開口部１７の位置と一致するように、スマートフォン１５の載置位置を調節するための機構が設けられている変形例の実施の形態も、考えられる。
【００４１】
ホルダー４は、検体容器部材１ａが倒立させられて載置される載置部である。
【００４２】
漏斗９は、採取された検体に含まれる組織を細胞から分別するための識別エリア１０を有する漏斗である。
【００４３】
なお、漏斗９は、衛生的な使い捨て用品として利用される、紙製の組立て式製品であるが、漏斗９がステンレス製のモールドプレス成形製品である変形例の実施の形態も、考えられる。
【００４４】
また、識別エリア１０は平坦であるが、採取された検体に含まれる組織が検体容器本体３へ落下しないように組織を係止するための凹凸などがやや傾斜した識別エリア１０に設けられている変形例の実施の形態も、考えられる。
【００４５】
位相差対物レンズ６を介する細胞の観察は、スマートフォン取り付け具１４へ載置されたスマートフォン１５を利用して行われる。
【００４６】
検体容器部材１ａは、採取された検体を収納する検体容器本体３と、観察セル２が設けられている、検体容器本体３に対して脱着可能な検体容器蓋１と、を有する。
【００４７】
なお、検体容器蓋１は少なくとも観察セル２が透明である樹脂製のモールドプレス成形製品であるが、検体容器蓋１がガラス製のブロー成形製品である変形例の実施の形態も、考えられる。
【００４８】
検体容器部材１ａは、ホルダー４に対して脱着可能である。検体容器部材１ａが倒立させられてホルダー４へ載置されることにより、検体容器本体３に収納された検体に含まれる細胞が観察セル２へ案内される。
【００４９】
なお、ホルダー４に対して脱着可能な検体容器部材１ａは検体採取者などの手指で倒立させられて検体容器部材挿入口８へ挿入されるが、検体容器部材１ａが多機能型位相差顕微鏡装置ＭＲへ回動可能に固定されており、自動的なまたは半自動的な回動により検体容器部材１ａを倒立させるための機構が設けられている変形例の実施の形態も、考えられる。
【００５０】
また、検体容器部材１ａを倒立させる必要がないように、観察セル２が検体容器本体３の底部に設けられている変形例の実施の形態も、考えられる。
【００５１】
組織が識別エリア１０を利用して分別された後、検体の残渣は検体容器本体３へ落下可能である。
【００５２】
漏斗９は、残渣を検体容器本体３へ洗い流すための液体を貯留するプール１１を有する。
【００５３】
なお、多機能型位相差顕微鏡装置ＭＲの漏斗載置部９ｂへ載置された漏斗９の漏斗本体部９ａが有する中央の洗い流し孔を通って落下する残渣を確認するための二つの窓部ＭＲａが多機能型位相差顕微鏡装置ＭＲの背面に設けられているが、窓部ＭＲａが設けられていない変形例の実施の形態も、考えられる。
【００５４】
多機能型位相差顕微鏡装置ＭＲは、本発明の顕微鏡装置の一例である。
【００５５】
検体容器部材１ａは本発明の検体容器部材の一例であり、検体容器本体３は本発明の検体容器本体の一例であり、検体容器蓋１は本発明の検体容器蓋の一例であり、観察セル２は本発明の観察領域の一例である。
【００５６】
位相差対物レンズ６は、本発明の対物レンズの一例である。
【００５７】
ホルダー４は、本発明の検体容器部材載置部の一例である。
【００５８】
スマートフォン取り付け具１４は、本発明の携帯デバイス載置部の一例である。
【００５９】
スマートフォン１５は、本発明の携帯デバイスの一例である。
【００６０】
漏斗９は本発明の漏斗の一例であり、識別エリア１０は本発明の識別エリアの一例であり、プール１１は本発明のプールの一例である。
【００６１】
主な不適正標本の原因は、固定前の乾燥変性と、多量の血液の混入と、過少な細胞数である。固定前の乾燥変性と、多量の血液の混入は、溶血剤を含む細胞保存液が入っている容器に細胞を採取することにより低減される。注射器による穿刺吸引では細胞が注射器内に残り、十分な細胞が得られない場合でも、注射器内部が保存液で十分に共洗いされた後、保存液が吐出されることにより、細胞回収率は高められる。
【００６２】
昨今では、穿刺材料について、ＬＢＣ（Ｌｉｑｕｉｄ−ｂａｓｅｄ  ｃｙｔｏｌｏｇｙ）と呼ばれる手法を用いるまたは検討する施設の数が増えている。ＬＢＣ法は、アルコールなどが主成分である固定液の中に検体を採取することにより、細胞の回収効率を高めて細胞変性を防ぐ目的で開発された、細胞診検査のためのメソッドである。
【００６３】
そして、医師などのような検体採取者は、通常の生物顕微鏡の代わりに多機能型位相差顕微鏡装置ＭＲを検体採取現場で用い、検体適正を自分自身で評価することができる。
【００６４】
多機能型位相差顕微鏡装置ＭＲについてさらにより具体的に説明すると、つぎの通りである。
【００６５】
採取されたサンプルは、先ず、漏斗９の識別エリア１０に採取器具から吐出される。識別エリア１０の背景色は黒色系の色であるので、通常の肉眼では白色系の色に見える組織片がより鮮明となり、識別を容易にする。採取手技者は、ピンセットなどにより、識別エリア１０から固形組織を摘み取り、ホルマリン容器などに移す。識別エリア１０内の微細な残渣は、アルコールなどのような細胞保存液を利用して識別エリア１０が洗い流されるので、直下の試験管立てであるスタンド１２内の遠沈管型の検体容器本体３に保存液と共に収集される。
【００６６】
検体容器蓋１が検体容器本体３へ取り付けられ、検体容器部材１ａは倒立させられてホルダー４に挿入される。液状検体は、無色透明の観察セル２内で薄層化され、ＬＥＤ光源１３と位相差対物レンズ６により、スマートフォン１５のモニターに明暗のコントラストが強調された細胞像として撮像される。したがって、無染色でも、細胞は観察可能となる。
【００６７】
観察セル２のためのホルダー４の黒色背景体７は像の明暗比を効果的に強め、無染色の細胞などの構造がより鮮明となる。
【００６８】
スマートフォン１５のカメラはオートフォーカス機能を有するので、多機能型位相差顕微鏡装置ＭＲは通常の顕微鏡装置のように手動で焦点を合わせる動作を必要としない。撮像後、画像を保存した場合には、スマートフォン１５の液晶モニター画面を指で操作することにより、画像を任意に拡大することができるので、細胞はより詳細に観察可能である。
【００６９】
利便性が高められるように、多機能型位相差顕微鏡装置ＭＲの正面下部には、検体容器蓋１と漏斗９などを収納することができる収納庫１６が設けられている。収納庫１６にはＬＥＤ光源１３の取り付け部があり、収納庫１６を引き出すことにより、ＬＥＤ光源１３の電池を交換することができる。
【００７０】
このように、検体容器蓋１と、位相差対物レンズ６と、ＬＥＤ光源１３を有する多機能型位相差顕微鏡装置ＭＲにより、スマートフォン１５のカメラのオートフォーカス機能を利用して、細胞をデジタル画像として撮像することにより、無染色での適正評価が実現される。
【００７１】
薄い中空部２ａを有する観察セル２は検体容器本体３と連通されるように検体容器蓋１の上端部に設けられており、検体容器部材１ａを倒立させることにより、細胞を保存液と共に観察セル２の内部に移動沈降させる。多くの細胞が保存液と共に観察セル２の内部の観察可能なエリアに移動するように、観察セル２の内面はなだらかな曲面として形成されている。無色透明の観察セル２はフォーカス動作を容易にするスライドガラスとカバーガラスの役目を果たし、位相差顕微鏡レンズの高倍率での細胞観察が実現される。
【００７２】
観察セル２が観察セル長手方向に沿って観察セル挿入口５へ差し込まれるので、倒立させられた検体容器部材１ａを固定する機能が実現される。しかしながら、観察セル挿入口５へ差し込まれた観察セル２は、観察セル２と対物レンズとの間の距離は一定に保たれながら、左右方向において移動可能であり、観察セル２の観察視野を広げることができる。加えて、明瞭なコントラストが、多機能型位相差顕微鏡装置ＭＲの部品であるホルダー４の黒色背景体７により得られる。
【００７３】
このため、検体容器蓋１の幅とほぼ一致する観察セル２の幅ｗ１（図４（ａ）参照）と、ホルダー４の幅とほぼ一致する観察セル挿入口５の幅ｗ２（図３（ｃ）参照）と、黒色背景体７の幅ｗ３（図３（ｂ）参照）とに関して、関係
【００７４】
（数１）
ｗ３＞ｗ２＞ｗ１
が成立することが望ましい。
【００７５】
漏斗９は固形組織を微細な細胞から分別するための識別エリア１０を有し、組織がピンセットで取り出された後、漏斗９の内部は細胞保存液で洗い流される。微細な残渣は、液状検体として、漏斗９を通って直下の検体容器本体３へ流れる。漏斗９は注射器内の残渣を回収するための保存液のプール１１をも有し、有用なサンプリング動作が一連の流れとして実現される。
【００７６】
検体容器部材１ａの状態での検体を顕微鏡レベルの倍率で目視確認するために、検体容器本体３の検体容器蓋１に設けられた観察セル２が利用される。撮像は、位相差対物レンズ６と、オートフォーカス機能を有するスマートフォン１５のカメラにより行われる。
【００７７】
そして、識別エリア１０を有する漏斗９を利用して取り出された固形組織は目的に応じた保存液（例えば、ホルマリン）に移され、ロートに残った残渣は他の保存液（例えば、アルコールなど）を利用して下方に位置する遠沈管型の検体容器本体３へ流し込まれる。これらの作業により、固形組織（例えば、病理検査のための組織）を微細な細胞（例えば、細胞診検査のための細胞）から簡便に分別することができるので、細胞の回収率が高められるのみならず、固定前の乾燥変性を防ぐことができる。溶血剤を含む保存液を利用することにより、多量の血液の混入による不適正標本は発生しにくい。
【００７８】
検体容器蓋１が利用されるので、観察セル２内で薄層化されている、細胞保存液の中の検体は、多機能型位相差顕微鏡装置ＭＲとスマートフォン１５のカメラにより最終的に約２００倍の高倍率で観察可能である。検体採取現場での検体の適正評価が実現され、検体はそのまま密栓状態で検査施設へ搬送されるのみならず、検体容器部材１ａは保存容器として利用可能であるので、利便性が高められる。
【００７９】
このような保存液の中の液状検体は、後に、免疫染色、特殊染色、またはウィルス検査などの追加検査のために利用可能であるので、診断精度が高められ、多機能型位相差顕微鏡装置ＭＲを利用する液状検体法の普及が期待される。
【００８０】
医師などのような検体採取者によるリアルタイムな検体の適正評価が実現され、多機能型位相差顕微鏡装置ＭＲにより、採取技術なども結果的に高められる。
【００８１】
不適正検体が発生しにくいので、検査精度が高められ、多機能型位相差顕微鏡装置ＭＲは早期の診断および治療開始に貢献する。
【００８２】
観察セル２を有する多機能型位相差顕微鏡装置ＭＲを利用することにより、搬送バイアルとしても利用可能である検体容器部材１ａの状態での顕微鏡レベルの観察が実現されるので、人体の細胞に限らず、ミジンコまたはプランクトンなどのような微小生物も観察対象となり、医学、生物学および海洋学の研究および教育、ならびに関連産業などにおける幅広い活用も期待される。
【００８３】
そして、今後のスマートフォンのアプリケーションおよび撮像装置の開発により、様々な可能性が上述された多機能型位相差顕微鏡装置ＭＲによる撮像にも好ましく影響することが期待される。
【産業上の利用可能性】
【００８４】
本発明における顕微鏡装置は、採取された検体を簡便に観察することができ、たとえば、検体の適正評価を行うための顕微鏡装置に利用する目的に有用である。
【符号の説明】
【００８５】
ＭＲ  多機能型位相差顕微鏡
ＭＲａ  窓部
１ａ  検体容器部材
１  検体容器蓋
２  観察セル
２ａ  中空部
３  検体容器本体
４  ホルダー
５  観察セル挿入口
６  位相差対物レンズ
７  黒色背景体
８  検体容器部材挿入口
９  漏斗
９ａ  漏斗本体部
９ｂ  漏斗載置部
１０  識別エリア
１１  プール
１２  スタンド
１３  ＬＥＤ光源
１４  スマートフォン取り付け具
１５  スマートフォン
１６  収納庫
１７  開口部
【図１】
0006868750.tif 000002
【図２】
0006868750.tif 000003
【図３】
0006868750.tif 000004
【図４】
0006868750.tif 000005
【図５】
0006868750.tif 000006
【図６】
0006868750.tif 000007